(57)【要約】 【課題】  二層一節工法における梁のプレキャストコンクリート化を実現し、工期の短縮とコストダウンを図ることができる複層構造物の施工方法を提供することを目的とする。【解決手段】    複層構造物１を各階ごとに順次構築していく複層構造物の施工方法であって、二層分を一節とする柱主鉄筋材９を使用し、柱主鉄筋材９の継手位置が隣り合う柱２，２に対して千鳥になるように柱主鉄筋材９を配筋する柱配筋工程と、低い方の柱主筋群８ａの上方にＰＣ梁部材１３を配置するとともにＰＣ梁部材１３の梁主筋群１６の一端部を高い方の柱主筋群８ｂ内に差し込ませた後、そのままＰＣ梁部材１３を降下させて梁主筋群１６の他端部を低い方の柱主筋群８ａの中に上から嵌め込み、仕口１９内にて、ＰＣ梁部材１３の梁主筋群１６の端部を他のＰＣ梁部材１３´の梁主筋群１６端部に継手するプレキャストコンクリート梁部材設置工程とを備える。【選択図】      図５
2006299657.tif 000002
【特許請求の範囲】
【請求項１】
間隔をあけて複数立設された現場打ち鉄筋コンクリート造の柱と、該柱間に架設されたプレキャストコンクリート梁部材からなる梁とを備えるラーメン構造の複層構造物を各階ごとに順次構築していく複層構造物の施工方法であって、
前記柱の柱主筋群を構成する柱主鉄筋材として二層分を一節とする柱主鉄筋材を使用し、該柱主鉄筋材の継手位置が隣り合う柱に対して千鳥になるように、前記柱主鉄筋材を、隣り合う柱の柱主鉄筋材に対してその上端高さを一層分ずらしてそれぞれ配筋する柱配筋工程と、
低い方の柱主筋群の上方に前記プレキャストコンクリート梁部材を配置するとともに、該プレキャストコンクリート梁部材の端面から突出する梁主筋群の一端部を高い方の柱主筋群内に差し込ませ、その後、前記梁主筋群の一端部を高い方の柱主筋群内に差し込んだ状態のまま前記プレキャストコンクリート梁部材を降下させて梁主筋群の他端部を低い方の柱主筋群の中に上から嵌め込み、前記プレキャストコンクリート梁部材を隣り合う柱間に配置し、該プレキャストコンクリート梁部材の梁主筋群の端部を、柱と梁との仕口内にて、当該プレキャストコンクリート梁部材と同軸上に配置された他のプレキャストコンクリート梁部材の梁主筋群端部に継手するプレキャストコンクリート梁部材設置工程と
を備えることを特徴とする複層構造物の施工方法。
【請求項２】
請求項１記載の複層構造物の施工方法において、
プレキャストコンクリート梁部材設置工程の前に、予め、高い方の柱主筋群の上部であって前記梁主筋群の一端部が差し込まれる位置よりも高い位置に、該柱主筋群に巻き付ける複数のフープ筋をまとめておくことを特徴とする複層構造物の施工方法。
【発明の詳細な説明】
【技術分野】
【０００１】
本発明は、現場打ち鉄筋コンクリート造の柱とプレキャストコンクリート造の梁とからなるラーメン構造の複層構造物の施工方法に関する。
【背景技術】
【０００２】
従来より、複層構造物の施工方法として二層一節工法が提案されている。二層一節工法は、二層分を一節とする柱を採用して柱の継手階を一層おきとし、且つ、その継手階を隣り合う柱に対して千鳥にする工法である。この工法によれば、柱の継手箇所を半減させることができ、工期の短縮を図るとともにコストダウンを図ることができる（例えば、特許文献１参照。）。
【特許文献１】特開平１１−２４７４４９号公報
【発明の開示】
【発明が解決しようとする課題】
【０００３】
しかしながら、柱を現場打ち鉄筋コンクリート造にするとともに梁をプレキャストコンクリート部材で構成する複層構造物を上記した従来の二層一節工法で施工すると、梁主鉄筋材と縦横に交差する柱主鉄筋材が二層分となって高くなるため、梁を構成するプレキャストコンクリート梁部材を柱間に設置する際、プレキャストコンクリート梁部材の梁主鉄筋材が、高く上方に延びた柱主鉄筋材と干渉し、プレキャストコンクリート梁部材を設置し難いという問題がある。したがって、従来は、梁にプレキャストコンクリート梁部材を採用する場合は、二層一節工法を採用せずに、一層ごとに継手を設けて施工することになり、柱主鉄筋材の継手箇所が多くなるという問題がある。
【０００４】
本発明は、上記した従来の問題が考慮されたものであり、二層一節工法における梁のＰＣ（プレキャストコンクリート）化を実現し、工期の短縮とコストダウンを図ることができる複層構造物の施工方法を提供することを目的としている。
【課題を解決するための手段】
【０００５】
請求項１記載の発明は、間隔をあけて複数立設された現場打ち鉄筋コンクリート造の柱と、該柱間に架設されたプレキャストコンクリート梁部材からなる梁とを備えるラーメン構造の複層構造物を各階ごとに順次構築していく複層構造物の施工方法であって、前記柱の柱主筋群を構成する柱主鉄筋材として二層分を一節とする柱主鉄筋材を使用し、該柱主鉄筋材の継手位置が隣り合う柱に対して千鳥になるように、前記柱主鉄筋材を、隣り合う柱の柱主鉄筋材に対してその上端高さを一層分ずらしてそれぞれ配筋する柱配筋工程と、低い方の柱主筋群の上方に前記プレキャストコンクリート梁部材を配置するとともに、該プレキャストコンクリート梁部材の端面から突出する梁主筋群の一端部を高い方の柱主筋群内に差し込ませ、その後、前記梁主筋群の一端部を高い方の柱主筋群内に差し込んだ状態のまま前記プレキャストコンクリート梁部材を降下させて梁主筋群の他端部を低い方の柱主筋群の中に上から嵌め込み、前記プレキャストコンクリート梁部材を隣り合う柱間に配置し、該プレキャストコンクリート梁部材の梁主筋群の端部を、柱と梁との仕口内にて、当該プレキャストコンクリート梁部材と同軸上に配置された他のプレキャストコンクリート梁部材の梁主筋群端部に継手するプレキャストコンクリート梁部材設置工程とを備えることを特徴としている。
【０００６】
このような特徴により、二層分を一節とする柱主鉄筋材が使用されて継手位置が隣り合う柱に対して千鳥になるように配置された場合でも、プレキャストコンクリート梁部材が２つの柱主筋群の間に容易に設置されるため、梁にプレキャストコンクリート梁部材を使用した場合でも二層一節工法が採用可能となる。
【０００７】
請求項２記載の発明は、請求項１記載の複層構造物の施工方法において、プレキャストコンクリート梁部材設置工程の前に、予め、高い方の柱主筋群の上部であって前記梁主筋群の一端部が差し込まれる位置よりも高い位置に、該柱主筋群に巻き付ける複数のフープ筋をまとめておくことを特徴としている。
【０００８】
このような特徴により、梁主筋群の一端部を高い方の柱主筋群内に差し込んだ状態のままプレキャストコンクリート梁部材を降下させる際、梁主筋群の一端部が柱のフープ筋に干渉することがなく、プレキャストコンクリート梁部材はスムーズに降下され、また、フープ筋を配筋する際は、まとめられたフープ筋を降ろして所定間隔に配筋するだけでよく、複数のフープ筋を柱主筋群に配筋する手間が軽減される。
【発明の効果】
【０００９】
本発明に係る複層構造物の施工方法によれば、梁にプレキャストコンクリート梁部材を使用した場合でも二層一節工法を採用可能となるため、継手箇所が低減されるとともに施工上の生産性が向上し、工期を短縮するとともにコストダウンを図ることができる。
【００１０】
また、高い方の柱主筋群の上部であって梁主筋群の一端部が差し込まれる位置よりも高い位置にフープ筋をまとめておくことで、プレキャストコンクリート梁部材は、梁主筋群の一端部が柱のフープ筋に干渉することなくスムーズに降下されるため、施工をより容易化することができる。
【発明を実施するための最良の形態】
【００１１】
以下、本発明に係る複層構造物の施工方法の実施の形態について、図面に基いて説明する。なお、図１は複層構造物１の構成を表す図であり、図２〜図６は複層構造物１の施工状況を表す図である。
【００１２】
まず、複層構造物１の構成について説明する。
【００１３】
図１に示すように、複層構造物１は、複数層に形成されたラーメン構造の構造物であり、間隔をあけて複数立設された柱２と、柱２間に架設された梁３と、水平方向に対向する梁３間に形成されたスラブ４とから構成されている。なお、図示していないが、柱２と梁３とで構成された架構内に壁が形成されていてもよい。
【００１４】
柱２は、柱鉄筋５と柱コンクリート６とからなり、且つ現場でコンクリートが打設される現場打ち鉄筋コンクリート造の構造体である。柱鉄筋５は、鉛直方向に延在する複数の柱主筋７…が所定間隔をあけて平行に並べられ、これらの柱主筋７…からなる柱主筋群８に所定ピッチで配筋された図示せぬ複数のフープ筋が巻き付けられた構成からなり、鉛直方向に延在する格子籠状に組まれた構成からなる。
【００１５】
柱主筋７…は、複数の柱主鉄筋材９…を直線的に連結した構成からなる。柱主鉄筋材９…は、例えば端部にネジが切られた鉄筋やネジ鉄筋等からなり、柱主鉄筋材９，９同士は周知のジョイントカプラー１０を介して継手されている。また、柱主鉄筋材９…は、二層分を一節とする長尺の鉄筋材料であり、直線的に連結される柱主鉄筋材９，９の継手位置（以下、単に柱継手位置と記す。）は上下の梁３，３間（層間）の中央位置にあるとともに一層おきにある。また、柱継手位置は、隣り合う柱２，２に対して千鳥になっており、隣り合う柱２，２の柱継手位置がある階は上下にずらされた階にある。具体的には、一方の柱２の柱継手位置が偶数階にある場合は、その隣りに立設する他方の柱２の柱継手位置は奇数階にある。
【００１６】
梁３は、梁コンクリート１１と梁鉄筋１２とからなる鉄筋コンクリート造の構造体であり、且つその一部が予め工場等で形成されたプレキャストコンクリート梁部材（以下、ＰＣ梁部材１３と記す。）からなる構造体である。梁鉄筋１２は、水平方向に延在する複数の梁上主筋１４…および複数の梁下主筋１５…がそれぞれ所定間隔をあけて平行に並べられ、これらの梁上主筋１４…及び梁下主筋１５…からなる梁主筋群１６に所定ピッチで配筋された図示せぬ複数のスタラップ筋が巻き付けられた構成からなり、水平方向に延在する格子籠状に組まれた構成からなる。
【００１７】
ＰＣ梁部材１３は、所謂ハーフＰＣ部材であり、梁コンクリート１１の下部を構成するコンクリート体１８と上記した梁鉄筋１２とから構成されている。コンクリート体１８は、両側の柱２，２間に形成される梁コンクリート１１のうちスラブ４下面より下側の部分のコンクリートであり、その長さ寸法は両側の柱２，２間の内法寸法に相当する長さであって、その高さ寸法はスラブ４下面より下側の梁高さに相当する寸法であって、その幅寸法は梁３の幅に相当する寸法になっている。コンクリート体１８には、梁下主筋１５…が貫設されており、コンクリート体１８の両端面からは梁下主筋１５…の端部がそれぞれ突出されている。また、コンクリート体１８には、所定ピッチで配筋された図示せぬ複数のスタラップ筋の下側部分が埋設されており、コンクリート体１８の上には、図示せぬ複数のスタラップ筋の上側部分内に挿装された梁上主筋１４…が配置されている。
【００１８】
梁上主筋１４…および複数の梁下主筋１５…は、例えば端部にネジが切られた鉄筋やネジ鉄筋等からなり、梁主筋群１６の端部（梁上主筋１４…および梁下主筋１５…の端部）は、当該ＰＣ梁部材１３と同軸上に配置された他のＰＣ梁部材１３の梁主筋群１６の端部に周知のジョイントカプラー１７を介して継手されている。梁主筋群１６の継手位置は、柱２と梁３との仕口１９内にある。
【００１９】
スラブ４は、梁３の上側部分と一体的に形成されたコンクリート造の構造体であり、現場打ち鉄筋コンクリートからなるスラブでもよく、また、デッキスラブでもよく、プレキャストコンクリート床版でもよい。なお、本実施の形態では、スラブ４の上面が梁３の上面と面一になっているが、スラブ４の上面と梁３の上面とのレベルが異なっていてもよい。
【００２０】
次に上記した構成からなる複層構造物１を各階ごとに順次構築していく施工方法について説明する。
図２は梁３およびスラブ４の施工が完了している状態を表す図である。以下に、梁３およびスラブ４の施工が完了している図２に示す状態から、そのスラブ４等の上に柱２及び梁３、スラブ４を順次構築していく施工サイクルについて説明する。なお、施工が完了している梁３やスラブ４の直ぐ上の階を施工対象階Ｆ１とする。また、梁３およびスラブ４の施工が完了している状態では、施工が完了しているスラブ４（仕口１９）上面から複数の柱２の柱主筋群８…がそれぞれ突出されており、隣り合う柱２，２のうち一方の柱２ａ（図２に示す真中の柱２ａ）の柱主筋７…は、施工対象階Ｆ１の上階Ｆ２の層間中央位置まで延在された状態にあり、前記一方の柱２ａと隣り合う他方の柱２ｂ（図２に示す両側の柱２ｂ）の柱主筋７…は、施工対象階Ｆ１の層間中央位置まで延在された状態にある。さらに、一方の柱２ａの柱主筋群８の上部には施工対象階Ｆ１分の複数のフープ筋２０…が束ねてまとめられた状態で外装されている。
【００２１】
まず、図３に示すように、二層分を一節とする柱主鉄筋材９を使用し、柱継手位置が隣り合う柱２，２に対して千鳥になるように、柱主鉄筋材９を、隣り合う柱２，２の柱主鉄筋材９に対してその上端高さを一層分ずらしてそれぞれ配筋する柱配筋工程を行う。具体的には、まず、スラブ４上面から突出する上記他方の柱２ｂの柱主筋群８に、施工対象階Ｆ１分の複数のフープ筋２０…をまとめた状態で外装させておく。次いで、その他方の柱２ｂの柱主筋７…上端にジョイントカプラー１０を介して柱主鉄筋材９を継手させる。次いで、一方の柱２ａの柱主筋群８上部に予め外装された複数のフープ筋２０…を降ろして施工対象階Ｆ１の柱主筋群８に所定ピッチで配筋するとともに、他方の柱２ｂの柱主筋群８に先に外装させた複数のフープ筋２０…を所定ピッチで配筋する。なお、スラブ４上面から突出する複数の柱主鉄筋材９…の全てに柱主鉄筋材９を継手させてもよく、あるいは、複数の柱主鉄筋材９…のうち所定本数の柱主鉄筋材９…にのみ柱主鉄筋材９を継手させてもよい。また、複数の柱主鉄筋材９を継手させて配筋するとき、継手させられる複数の柱主鉄筋材９（柱主筋群８）の上部であって後述する梁主筋群１６の一端部が差し込まれる位置よりも高い位置、例えば仕口１９の箇所に、上階Ｆ２のフープ筋２０…を束ねてまとめた状態で外装させておく。
【００２２】
次に、図４に示すように、施工対象階Ｆ１の柱２…のコンクリート打設を行って柱コンクリート６を形成する柱コンクリート打設工程を行う。具体的には、施工が完了しているスラブ４の上に、複数の柱主筋群８を囲う図示せぬ柱型枠を建て込み、コンクリート打設を行う。このとき、施工対象階Ｆ１の梁３の下面レベルまでコンクリートを打設する。なお、柱の型枠としてプレキャストコンクリートフォーム（ＰＣＦ）を用いてもよい。
【００２３】
次に、図５に示すように、ＰＣ梁部材１３を隣り合う柱２，２間に架設させるプレキャストコンクリート梁部材設置工程を行う。具体的には、まず、ＰＣ梁部材１３を図示せぬ揚重機によって水平に吊り上げて、隣り合う柱２の柱コンクリート６の上端面よりそれぞれ突出する柱主筋群８のうち、低い方の柱主筋群８ａの上方にＰＣ梁部材１３を配置させる。そして、そのＰＣ梁部材１３をそのまま横方向に移動させ、ＰＣ梁部材１３の端面から突出する梁主筋群１６の一端部を高い方の柱主筋群８ｂ内に差し込ませる。このとき、前述したとおり、主筋群８ｂに巻き付ける複数のフープ筋２０…は、高い方の柱主筋群８ｂの上部であって梁主筋群１６の一端部が差し込まれる位置よりも高い位置にまとめて外装させてある。次いで、梁主筋群１６の一端部を高い方の柱主筋群８ｂ内に差し込んだ状態のままＰＣ梁部材１３を降下させて梁主筋群１６の他端部を低い方の柱主筋群８ａの中に上から嵌め込み、ＰＣ梁部材１３を隣り合う柱２，２間に配置する。このとき、梁主筋群１６の両端部はそれぞれ仕口１９内に配置される。次いで、梁上主筋１４…を所定位置に配置させて図示せぬスタラップ筋に結束するとともに、ＰＣ梁部材１３の梁主筋群１６の両端部を、仕口１９内にて、当該ＰＣ梁部材１３と同軸上に配置された他のＰＣ梁部材１３´の梁主筋群１６の端部にジョイントカプラー１７を介して継手する。
【００２４】
次に、図６に示すように、スラブ４のコンクリート打設を行うとともに、梁３の上部および仕口１９のコンクリート打設を行うスラブコンクリート打設工程を行う。具体的には、まず、図示せぬスラブ４の型枠やデッキプレートを建て込む。そして、各柱２…の図示せぬ仕口フープ筋を配筋するとともに、必要に応じて図示せぬスラブ鉄筋を配筋する。その後、スラブ４および梁３上部、仕口１９のコンクリート打設を行い、一体のコンクリートを形成する。
【００２５】
以上をもって、複層構造物１を各階ごとに順次構築していく施工方法の１サイクルが完了する。続いて、上述した柱配筋工程に戻り、柱配筋工程、柱コンクリート打設工程、プレキャストコンクリート梁部材設置工程、スラブコンクリート打設工程の順で、上階Ｆ２について各工程を再び行うことで、上階Ｆ２を構築し、上記した施工サイクルを繰り返し行うことで各階ごとに順次構築していく。
【００２６】
上記した構成からなる複層構造物１の施工方法によれば、柱継手位置が隣り合う柱に対して千鳥になるように柱主鉄筋材を配筋する上述した柱配筋工程と、後梁主筋群１６の一端部を高い方の柱主筋群８内に差し込んだ状態のままＰＣ梁部材１３を降下させて梁主筋群１６の他端部を低い方の柱主筋群８の中に上から嵌め込み、仕口１９内にて当該ＰＣ梁部材１３と同軸上に配置された他のＰＣ梁部材１３´の梁主筋群１６の端部に継手する上述したプレキャストコンクリート梁部材設置工程とを備えるため、ＰＣ梁部材１３が２つの柱主筋群８の間に容易に設置され、梁３にＰＣ梁部材１３を使用した場合でも二層一節工法が採用可能となる。これによって、継手箇所が低減されるとともに施工上の生産性が向上し、工期を短縮するとともにコストダウンを図ることができる。
【００２７】
また、プレキャストコンクリート梁部材設置工程の前に、予め、高い方の柱主筋群８ｂの上部であって梁主筋群１６の一端部が差し込まれる位置よりも高い位置に、柱主筋群８ｂに巻き付ける複数のフープ筋２０をまとめておくため、梁主筋群１６の一端部を高い方の柱主筋群８ｂ内に差し込んだ状態のままＰＣ梁部材１３を降下させる際、梁主筋群１６の一端部がフープ筋２０に干渉することがなく、ＰＣ梁部材１３はスムーズに降下される。また、フープ筋２０を配筋する際は、まとめられたフープ筋２０を降ろして所定間隔に配筋するだけでよく、複数のフープ筋２０を柱主筋群８ｂに配筋する手間が軽減される。これによって、施工をより容易化することができる。
【００２８】
以上、本発明に係る複層構造物の施工方法の実施の形態について説明したが、本発明は上記した実施の形態に限定されるものではなく、その趣旨を逸脱しない範囲で適宜変更可能である。例えば、上記した実施の形態では、梁３が、その梁形がスラブ４の下側に形成される所謂順梁となっているが、本発明は、梁形がスラブの上側に形成される所謂逆梁であってもよい。
【００２９】
また、上記した実施の形態では、梁３上部のコンクリートは現場で打設するハーフＰＣ部材からなるＰＣ梁部材１３が使用されているが、本発明に係るＰＣ梁部材は、梁全体がプレキャスト化されたフルＰＣ部材であってもよく、また、型枠兼用の（ＰＣＦ）部材であってもよい。さらに、ＰＣ梁部材１３の形状は如何なる形状でもよく、適宜その形状を変更することは可能である。
【００３０】
また、上記した実施の形態では、柱主鉄筋材９とフープ筋２０を施工場所で組み立てて柱鉄筋５を形成しているが、本発明は、柱主鉄筋材とフープ筋とを施工場所以外で先組み（地組み）してもよい。
また、上記した実施の形態では、柱配筋工程の後、柱２のコンクリートを梁下まで打設する柱コンクリート打設を行い、その後に、プレキャストコンクリート梁部材設置工程を行っているが、本発明は、柱配筋工程の後、柱コンクリート打設を行わずにプレキャストコンクリート梁部材設置工程を行ってもよく、プレキャストコンクリート梁部材設置工程の後、柱、梁、スラブ、仕口のコンクリートを一体打ちしてもよい。
【００３１】
また、上記した実施の形態では、柱主鉄筋材９の継手にジョイントカプラー１０を使用し、また、梁主筋群１６の継手にもジョイントカプラー１７を使用しているが、本発明は、ジョイントカプラー１０，１７を使用せずにその他の周知の継手工法によって継手してもよく、例えば、その他の継手冶具を用いた機械継手や、重ね継手、ガス圧接継手等によって継手してもよい。
【００３２】
また、上記した実施の形態では、プレキャストコンクリート梁部材設置工程の前に、予め、高い方の柱主筋群８ｂの上部であって梁主筋群１６の一端部が差し込まれる位置よりも高い位置に、柱主筋群８ｂに巻き付ける複数のフープ筋２０をまとめているが、本発明は、プレキャストコンクリート梁部材設置工程の後にフープ筋を配筋する方法であってもよい。これによって、上記した実施の形態のように、ＰＣ梁部材１３を低い方の柱主筋群８ａの上方に配置させたＰＣ梁部材１３を横方向に移動させることで梁主筋群１６の一端部を高い方の柱主筋群８ｂ内に差し込ませる必要はなく、ＰＣ梁部材を高い方の柱主筋群の上方から降下させることで梁主筋群の一端部を高い方の柱主筋群内に差し込ませることができ、ＰＣ梁部材の設置作業を一層容易にすることができる。
【図面の簡単な説明】
【００３３】
【図１】本発明に係る複層構造物の施工方法の実施の形態を説明するための複層構造物を表す図である。
【図２】本発明に係る複層構造物の施工方法の実施の形態を説明するための柱配筋工程前の状態を表す図である。
【図３】本発明に係る複層構造物の施工方法の実施の形態を説明するための柱配筋工程状況を表す図である。
【図４】本発明に係る複層構造物の施工方法の実施の形態を説明するための柱のコンクリート打設状況を表す図である。
【図５】本発明に係る複層構造物の施工方法の実施の形態を説明するためのプレキャストコンクリート梁部材設置工程状況を表す図である。
【図６】本発明に係る複層構造物の施工方法の実施の形態を説明するためのスラブ等のコンクリート打設状況を表す図である。
【符号の説明】
【００３４】
１  複層構造物
２  柱
３  梁
８  柱主筋群
９  柱主鉄筋材
１３  ＰＣ梁部材（プレキャストコンクリート梁部材）
１６  梁主筋群
２０  フープ筋
【図１】
2006299657.tif 000003
【図２】
2006299657.tif 000004
【図３】
2006299657.tif 000005
【図４】
2006299657.tif 000006
【図５】
2006299657.tif 000007
【図６】
2006299657.tif 000008